(57)【要約】【課題】  クレーンによる産廃ボックスの排出操作によってもボックスの向きや位置が不安定に揺れる危険性が少なく狭い場所でもより安全でありかつ排出の簡便さを失わない産廃ボックスを提供することを目的とする【解決手段】  産廃ボックスの底板すなわち重心から近い開口部からの排出を可能とする。具体的にはクレーン吊り下げ時に、底板を３面未満の壁又は軽量のフレームで吊り上げ担持可能とすることにより排出時に重心や向きの揺れが少ない安定した開口・排出を実現する。大きく三態様の吊り上げ例を示す。【選択図】図２
2015098386.tif 000002
【特許請求の範囲】
【請求項１】
クレーン吊り下げ時に、容器又はワークの重心から近い底板を容器全体の三方未満の壁又はフレームで吊り上げ担持可能とすることにより、
該底板の開口部からの、容器又はワークの重心もしくは向きの揺れが少ない排出を実現した容器。
【請求項２】
前記容器の底板に接続したフレーム（１１ＢｆＲ，１１ＢｆＬ）の持ち手（１１ＢｃＲ，１１ＢｄＲ，１１ＢｃＬ，１１ＢｄＬ）により容器を担持可能としたことを特徴とする
請求項１に記載の容器。
【請求項３】
前記持ち手（１１ＢｃＲ，１１ＢｄＲ，１１ＢｃＬ，１１ＢｄＬ）の位置が容器又はワークの重心よりも高い位置となるようにした
請求項２に記載の容器。
【請求項４】
前記フレーム（１１ＢｆＲ，１１ＢｆＬ）が底板（１１Ｂｂ）と接続する近傍に幅広のガイド状の部材を設けた
請求項２に記載の容器。
【請求項５】
前記フレーム（１１ＢｆＲ，１１ＢｆＬ）をアミ状とした
請求項２から４のいずれか一項に記載の容器。
【請求項６】
前記フレーム（１１ＢｆＲ，１１ＢｆＬ）をトラス構造とした
請求項２から５のいずれか一項に記載の容器。
【請求項７】
前記フレーム（１１ＢｆＲ，１１ＢｆＬ）を一対の対称な台形とし台上の２頂点近傍に持ち手（１１ＢｃＲ，１１ＢｄＲ，１１ＢｃＬ，１１ＢｄＬ）を設けた
請求項２から６のいずれか一項に記載の容器。
【請求項８】
容器の底板（１１Ｂｂ）と壁とを蝶番（３ｈ）で接続した
請求項２から７のいずれか一項に記載の容器。
【請求項９】
底板と壁とが蝶番（３ｈ）により開口する角度を、前記フレームの形状である台形の傾斜角度、台形の持ち手の高さ、又は、台形の傾き過ぎを防ぐリミッタ（３ｌ）の位置により調整した
請求項８に記載の容器。
【請求項１０】
前記フレーム（１１ＢｆＲ，１１ＢｆＬ）を一対の直角三角形とし各頂点近傍に持ち手（１１ＢｃＲ，１１ＢｃＬ）を設け、
容器の底板（１１Ｂｂ）と、該持ち手（１１ＢｃＲ，１１ＢｃＬ）と反対側の壁とを蝶番（３ｈ）で接続し、
該フレームの持ち手（１１ＢｃＲ，１１ＢｃＬ）と、該反対側の壁近傍に設けた別の持ち手とによりクレーンで運搬可能とし、
該フレームの持ち手（１１ＢｃＲ，１１ＢｃＬ）近傍の壁上の持ち手と、該反対側の壁近傍に設けた別の持ち手とにより吊り上げることで該フレームと壁が開いてワークを排出可能とした
請求項２から６のいずれか一項に記載の容器。
【請求項１１】
前記フレームが、直角三角形ではなく、底板を壁に対して密着させて閉じ又は離して開くよう手動制御することを可能にする、棒状、紐状又は鎖状の、自由な端点をもつ部材であり、該自由な端点を容器本体又はクレーンに接続された部材に張って固定し又は張らずにおくことにより該手動制御することを可能にする、
請求項１０に記載の容器。
【請求項１２】
前記容器が、上面と一方の壁面が開口した方形のバケツ２つを対向させて嵌め合わせ蝶番構造で接続し底が割れて開くように構成した容器（ただし、内側のバケツの壁面外径と外側のバケツの壁面内径が等しいか近似している）であり、
嵌め合わせた内側のバケツの底板が蝶番不動点まで伸びておらず、
排出時には底が割れ、かつ、運搬時には内側のバケツの底板にワークが載って底が割れにくくした、
請求項１に記載の容器。
【請求項１３】
前記蝶番不動点の近傍に、運搬に底割れしにくい持ち手（１３ｍＲ，１３ｍＬ）を設けた
請求項１２に記載の容器
【発明の詳細な説明】
【技術分野】
【０００１】
本発明は産廃ボックス（鉄リサイクル分野では「バッカン」とも言われている）に関するものである。
【背景技術】
【０００２】
従来の産廃ボックスは、クレーンによるワーク運搬時は、底板１１Ｂｂが、図１及び下記非特許文献１の標準型では四方の壁で、下記非特許文献１のダンプ型及びフロントオープン型では三方の壁によって担持されており、目的の場所に運搬後に産廃（ワーク）を排出するには、クレーンやフォークリフトによって天地を逆（四方壁の場合）にしたり、横壁の開口部が下又は斜め下（三方壁の場合）になるように転がしたりする必要があった。この作業は、専門業者の広いヤードでは比較的安全であるが、産廃の主に発生する加工工場内の狭い場所や車両（ダンプ、トラック、トレーラー等）の荷台上では荷台回転式のフォークリフト等を用いることができない場合もあり、クレーンにより吊り上げる産廃ボックスの持ち手（１３ｃＲ，１３ｄＲ，１３ｅＲ，１３ｆＲ，１３ｃＬ，１３ｄＬ，１３ｅＬ，１３ｆＬ等）を順次変えて転がしたり完全に吊り上げたりする必要があり、産廃ボックスの向きや位置の揺れが制御不能となる工程・瞬間が少なからず存在して、近くの作業員等にとって明らかな危険が伴うものであった。
【先行技術文献】
【非特許文献】
【０００３】
【非特許文献１】「産廃ボックス．ＣＯＭ」                        http://www.sanpai-box.com/
【発明の概要】
【発明が解決しようとする課題】
【０００４】
したがって、本発明は、クレーンによる産廃ボックスの排出操作によってもボックスの向きや位置が制御不能で不安定に揺れる危険性が少なく、トラックの荷台等の狭い場所でもより安全でありかつ排出の簡便さを失わない産廃ボックスを提供することを目的とする。
【課題を解決するための手段】
【０００５】
このため、本発明は、産廃ボックスの重心から近い底板の開口部からの排出を可能とする。具体的にはクレーン吊り下げ時に、底板を３面未満の壁又は軽量のフレームで吊り上げ担持可能とすることにより排出時に重心や向きの揺れが少ない安定した開口・排出を実現する。
【０００６】
したがって、請求項１の発明は、
クレーン吊り下げ時に、容器又はワークの重心から近い底板を容器全体の三方未満の壁又はフレームで吊り上げ担持可能とすることにより、
該底板の開口部からの、容器又はワークの重心もしくは向きの揺れが少ない排出を実現した容器を提供する。
底板を重力方向に開口することにより、重心の移動を少なくし、課題解決を可能にしている。
【０００７】
また、請求項２の発明は、
前記容器の底板に接続したフレーム（１１ＢｆＲ，１１ＢｆＬ）の持ち手（１１ＢｃＲ，１１ＢｄＲ，１１ＢｃＬ，１１ＢｄＬ）により容器を担持可能としている。
これにより、底板を直接、安定して担持することを可能にし、運搬と排出の切り替え作業をも簡単にし利便性を増している。
【０００８】
また、請求項３の発明は、
前記持ち手（１１ＢｃＲ，１１ＢｄＲ，１１ＢｃＬ，１１ＢｄＬ）の位置が容器又はワークの重心よりも高い位置となるようにしている。
これにより、運搬時や排出時の重心の安定性を増している。
【０００９】
また、請求項４の発明は、
前記フレーム（１１ＢｆＲ，１１ＢｆＬ）が底板（１１Ｂｂ）と接続する近傍に幅広のガイド状の部材を設けている。
これにより、排出時にワークがわきにそれるのを防ぐことができる。
【００１０】
また、請求項５の発明は、
前記フレーム（１１ＢｆＲ，１１ＢｆＬ）をアミ状としている。
これにより、フレームの軽量化、高強度化、又はワークの横それ防止ガイド化が可能である。
【００１１】
また、請求項６の発明は、
前記フレーム（１１ＢｆＲ，１１ＢｆＬ）をトラス構造としている。
これにより、フレームの軽量化と高強度化を両立し、ワークの横それ防止ガイド化がある程度可能である。
【００１２】
また、請求項７の発明は、
前記フレーム（１１ＢｆＲ，１１ＢｆＬ）を一対の対称な台形とし台上の２頂点近傍に持ち手（１１ＢｃＲ，１１ＢｄＲ，１１ＢｃＬ，１１ＢｄＬ）を設けている。
これにより、底板担持構造の対称性・安定性、機能の位置関係の単純性、運搬（フレームのみ４点）と排出（フレーム２点と壁２点）での使用持ち手の混同防止、運搬時および排出時持ち手の近接によるワイヤー等の引張応力の節約、台形の勾配を開口角度のリミッタとして利用しやすいこと、などが得られる。
【００１３】
また、請求項８の発明は、
容器の底板（１１Ｂｂ）と壁とを蝶番（３ｈ）で接続したものである。
これにより、底板と壁との位置関係が安定し、排出時でも底板やフレームが壁の底から飛び出したりする危険性が少なくなる。
【００１４】
また、請求項の発明９は、
底板と壁とが蝶番（３ｈ）により開口する角度を、前記フレームの形状である台形の傾斜角度、台形の持ち手の高さ、又は、台形の傾き過ぎを防ぐリミッタ（３ｌ）の位置により調整したものである。
これにより、底が開口する角度を調整可能とし、所望の排出速度と量の調整、重心の安定化にも寄与している。
【００１５】
また、請求項１０の発明は、
前記フレーム（１１ＢｆＲ，１１ＢｆＬ）を一対の直角三角形とし各頂点近傍に持ち手（１１ＢｃＲ，１１ＢｃＬ）を設け、
容器の底板（１１Ｂｂ）と、該持ち手（１１ＢｃＲ，１１ＢｃＬ）と反対側の壁とを蝶番（３ｈ）で接続し、
該フレームの持ち手（１１ＢｃＲ，１１ＢｃＬ）と、該反対側の壁近傍に設けた別の持ち手とによりクレーンで運搬可能とし、
該フレームの持ち手（１１ＢｃＲ，１１ＢｃＬ）近傍の壁上の持ち手と、該反対側の壁近傍に設けた別の持ち手とにより吊り上げることで該フレームと壁が開いてワークを排出可能としたものである。
これにより、運搬時と排出時とで担持する持ち手の切り替え移動距離を節約し、フレーム自体も（台形等よりも）軽量化することができる。
持ち手どうしを図４の破線のように接続したときは、フレームの強度と動作のさらなる安定性に寄与する。
【００１６】
また、請求項１１の発明は、
前記フレームが、直角三角形ではなく、底板を壁に対して密着させて閉じ又は離して開くよう手動制御することを可能にする、棒状、紐状又は鎖状の、自由な端点をもつ部材であり、該自由な端点を容器本体又はクレーンに接続された部材に張って固定し又は張らずにおくことにより該手動制御することを可能にするものである。
これは、例えば図４の直角三角形のフレームを、持ち手から垂直にぶら下がる一本の棒（例えば鉄製又は樹脂製の鉄棒や角パイプや丸パイプ、鉄製のワイヤーや鎖等でもよい）に置き換えたものとすることができる。
これにより、可動底板を担持する構造のさらなる軽量化を実現することができる。
【００１７】
また、請求項１２の発明は、
前記容器が、上面と一方の壁面が開口した方形のバケツ２つを対向させて嵌め合わせ蝶番構造で接続し底が割れて開くように構成した容器（ただし、内側のバケツの壁面外径と外側のバケツの壁面内径が等しいか近似している）であり、
嵌め合わせた内側のバケツの底板が蝶番不動点まで伸びておらず、
排出時には底が割れ、かつ、運搬時には内側のバケツの底板にワークが載って底が割れにくくしたものである。
これにより、フレームではなく３方向未満の壁×２バケツ分で底板を担持したまま（フレームの重量を省きながら）も、ワークの運搬時の重心に近い底中心からの真底方向への排出を可能とし、荷（ボックスやワーク）の重心や方向の揺れの少ない安定した排出を可能とする。
【００１８】
また、請求項１３の発明は、
前記蝶番不動点の近傍に、運搬に底割れしにくい持ち手（１３ｍＲ，１３ｍＬ）を設けたものである。
これにより、排出後にバケツが閉じるのを促すことができ、運搬時には、２点による簡易な担持と、底割れのリスクがより少ない安定した運搬が可能となる。
【発明の効果】
【００１９】
本発明による産廃ボックスにより、揺れの少ない安定した排出や簡素な作業手順が可能となる。
【図面の簡単な説明】
【００２０】
【図１】従来の標準的な産廃ボックスを示した説明図
【図２】実施例１および２の底板担持構造の説明図
【図３】フレーム輪郭と箱とのバランス例及び蝶番とリミッタの配置例の説明図
【図４】実施例３の底板担持構造の説明図
【図５】実施例３のフレーム輪郭と箱とのバランス例及び蝶番とリミッタの配置例の説明図
【図６】実施例４の対向するバケツを蝶番で接合した産廃ボックスの説明図
【図７】実施例４の２バケツのサイズバランス例及び蝶番と持ち手の配置例の説明図
【発明を実施するための形態】
【００２１】
図２から図７を通じて４つの実施例を示す。
【００２２】
図２は、従来技術を示す図１の底板と比較した、本発明の実施例１及び２の底板（台形状のフレームと４つの持ち手）の担持構造を説明したものである。
【００２３】
図３は、実施例１及び２における、フレーム輪郭と箱とのバランス例及び蝶番とリミッタの配置例を説明したものである。フレームの台形の形状により、排出時の吊り高さ、開口角度、排出角度、排出速度、排出量等を調整することができる。
【００２４】
図４は、実施例３の底板（１１Ｂｂ）の担持構造の説明図である。実施例３では図示しない蝶番により手前側の底板と壁が接続されている。
【００２５】
図５は、実施例３のフレーム輪郭と箱とのバランス例及び蝶番とリミッタの配置例の説明図である。壁を真上に吊ることにより、底板が既に排出されているワークの上を摩擦して滑りながら重心方向スライドするため、新たに排出されるワークが、吊っている壁の重心に近い位置に排出される。
【００２６】
図６は、実施例４の対向するバケツを蝶番で接合した産廃ボックスの説明図である。直下に排出することが可能である。また、排出時、底板どうしの摩擦により、急激な排出を避けることができる。
【００２７】
図７は、実施例４の２バケツの寸法のバランスの例、及び、蝶番と持ち手の配置の例を説明するものである。クレーン吊り下げ時、底板を３方向の壁（台形となっているため３方向未満）で担持しながら、吊り下げ直下への排出が可能である。
【産業上の利用可能性】
【００２８】
本発明は、産業廃棄物だけでなく、一般のゴミや特別管理廃棄物、廃棄物でない資材や製品の蓄積・運搬・排出・選別等に広く利用することができる。
【符号の説明】
【００２９】
１  従来の産廃ボックス
１１Ｂｂ  底板
１１Ｂｈ  フォークリフトのツメを挿入して運搬・回転するための角パイプ部材
１３ｂＲ、１３ｂＬ  側面の壁
１２Ｆｂ  クレーンによる排出時に転がして下になる壁
１２Ｎｂ  クレーンによる排出時に転がして上になる壁
１３ｃＲ、１３ｄＲ、１３ｅＲ、１３ｆＲ  リング状のワイヤーで吊るための持ち手
１１ＢｆＲ、１１ＢｆＬ  底板と持ち手を接続し強度を向上させるためのフレーム
１１ＢｃＲ、１１ＢｄＲ、１１ＢｃＬ、１１ＢｄＬ  壁を介さずに底板にフレームで接続された持ち手
３ｈ  蝶番（ヒンジ）
３ｌ  蝶番の開きを制限するリミッタ部材（溶接された鉄パイプ）
１３ｍＲ、１３ｍＬ  排出せずにクレーン運搬するための持ち手（鍵手用）
１３ｈＲ、１３ｈＬ  ２つのバケツを接続する蝶番
【図１】
2015098386.tif 000003
【図２】
2015098386.tif 000004
【図３】
2015098386.tif 000005
【図４】
2015098386.tif 000006
【図５】
2015098386.tif 000007
【図６】
2015098386.tif 000008
【図７】
2015098386.tif 000009